(57)【要約】【課題】耐風圧性能に優れる板ガラス取付構造および板ガラス固定施工方法を提供する。【解決手段】矩形状板ガラス１の上下２辺をそれぞれガラス取付溝内に嵌め込んで支持する一方、左右の２辺を自由辺とした２辺支持の板ガラス取付構造において、前記板ガラス１の支持辺である上辺もしくは下辺のいずれか一辺、または上下両辺を、例えば、石膏系の充填材などの充填材２を用いて、ガラス取付溝内で、板ガラス１の厚さ方向に実質的に変位しないように強固に固定する。【選択図】図１
2004019401.tif 000002
【特許請求の範囲】
【請求項１】
矩形状板ガラスの上下２辺をそれぞれガラス取付溝内に嵌め込んで支持する一方、左右の２辺を自由辺とした２辺支持の板ガラス取付構造において、前記板ガラスの支持辺である上辺もしくは下辺のいずれか一辺、または上下両辺が、ガラス取付溝内で、板ガラスの厚さ方向に実質的に変位しないように強固に固定されることを特徴とする板ガラス取付構造。
【請求項２】
固定される辺は、ガラス取付溝内で、深さ方向に７０ｍｍ以上の範囲にわたって固定されることを特徴とする請求項１に記載の板ガラス取付構造。
【請求項３】
ガラス取付溝内での板ガラスの固定が、ガラス取付溝壁部と板ガラスとの間隙に、圧縮強度が１５Ｎ／ｍｍ２以上の物質を介在させることによる固定であることを特徴とする請求項１または２に記載の板ガラス取付構造。
【請求項４】
矩形状板ガラスの上下２辺をそれぞれガラス取付溝内に嵌め込んで支持する一方、左右の２辺を自由辺とした２辺支持の板ガラス固定施工方法において、前記板ガラスの支持辺である上辺もしくは下辺のいずれか一辺、または上下両辺の固定方法として、ガラス取付溝壁部と板ガラスとの間隙に、圧縮強度が１５Ｎ／ｍｍ２以上の物質を介在させる方法により、ガラス取付溝内で、深さ方向に７０ｍｍ以上の範囲にわたって、板ガラスの厚さ方向に実質的に変位しないように強固に固定することを特徴とする板ガラス固定施工方法。
【請求項５】
ガラス取付溝壁部と板ガラスとの間隙に、圧縮強度が１５Ｎ／ｍｍ２以上の物質を介在させる方法が、ガラス取付溝壁部と板ガラスの間隙に、スラリー状石膏を内蔵する可撓性袋体を介在させて、該石膏を硬化させる方法であることを特徴とする請求項４に記載の板ガラス固定施工方法。
【請求項６】
前記矩形状板ガラスが支持辺方向に湾曲した曲面形状を有し、凸側面が主に風圧を受ける面であることを特徴とする請求項１、２または３に記載の板ガラス取付構造。
【請求項７】
前記矩形状板ガラスが支持辺方向に湾曲した曲面形状を有し、凸側面が主に風圧を受ける面であることを特徴とする請求項４または５に記載の板ガラス固定施工方法。
【発明の詳細な説明】
【０００１】
【発明の属する技術分野】
本発明は板ガラスの取付構造および固定施工方法に関するものである。
【０００２】
【従来の技術】
板ガラスの取付構造としては、４辺支持や２辺支持、あるいはＤＰＧ構法（ドットポイントグレージング構法）のような点支持などが一般に用いられている。４辺支持、２辺支持は、板ガラス端部をサッシ等のガラス取付溝に嵌め込み、取付溝内で板ガラスの両側に形成される間隙にバックアップ材と弾性シーリング材等で施工するのが通常である。また、２辺支持による板ガラス取付構造を採用すると、板ガラスの主に上下辺をサッシ等のガラス取付溝に嵌め込んで支持する構造となり、縦辺は自由辺となる。したがって、横方向に連ねて配置された板ガラス間には、シーリング材のみを介在させた構成となるため、意匠的に優れた板ガラス取付構造となる。
【０００３】
【発明が解決しようとする課題】
しかし、２辺支持による板ガラス取付構造をバックアップ材と弾性シーリング材等で施工すると、フロートガラスを使用した場合、縦辺である自由辺の中央部に最大応力が発生するため、従来はあまり大きな自由辺寸法を確保することができなかった。この点、強化ガラスや倍強度ガラスを使用すると、応力上は有利となるが、変形が大きくなってしまうため、実用上は問題となっていた。
【０００４】
本発明の目的は、従来技術が有していた上記の課題を解消し、２辺支持の板ガラス取付構造を適用しうる対象範囲の拡大を図ることにある。すなわち、同一の面積を有する板ガラスであれば、従来より高い風圧に対応でき、また、同一の風圧条件であれば、同じ板厚でより大きな面積の板ガラスを採用できる板ガラス取付構造および板ガラス固定施工方法を提供することを目的とする。
【０００５】
【課題を解決するための手段】
本発明は、前記課題を解決すべくなされたものであり、矩形状板ガラスの上下２辺をそれぞれガラス取付溝内に嵌め込んで支持する一方、左右の２辺を自由辺とした２辺支持の板ガラス取付構造において、前記板ガラスの支持辺である上辺もしくは下辺のいずれか一辺、または上下両辺が、ガラス取付溝内で、板ガラスの厚さ方向に実質的に変位しないように強固に固定することを特徴とする板ガラス取付構造を提供する。
【０００６】
このような板ガラス取付構造によれば、受風圧時の板ガラス中央部の板ガラス厚さ方向の変位量を低減できる。また、ガラス取付溝に強固に固定された板ガラス端部のガラス取付溝開口部近傍に、板ガラスの最大応力が生ずることとなるため、縦辺である自由辺の中央部に最大応力が発生する従来技術と比較して、強度上非常に有利である。
【０００７】
具体的な態様としては、矩形状板ガラスの上下２辺をそれぞれガラス取付溝内に嵌め込んで支持する一方、左右の２辺を自由辺とした２辺支持の板ガラス取付構造において、前記板ガラスの支持辺である上辺もしくは下辺のいずれか一辺、または上下両辺が、ガラス取付溝内で、深さ方向に７０ｍｍ以上の範囲にわたって、板ガラスの厚さ方向に実質的に変位しないように強固に固定する態様や、矩形状板ガラスの上下２辺をそれぞれガラス取付溝内に嵌め込んで支持する一方、左右の２辺を自由辺とした２辺支持の板ガラス取付構造において、前記板ガラスの支持辺である上辺もしくは下辺のいずれか一辺、または上下両辺が、ガラス取付溝内で、ガラス取付溝壁部と板ガラスとの間隙に、圧縮強度が１５Ｎ／ｍｍ２以上の物質を介在させることによって固定する態様があげられる。更には、前記ガラス取付溝壁部と板ガラスとの間隙に、圧縮強度が１５Ｎ／ｍｍ２以上の物質を介在させて、ガラス取付溝内で、深さ方向に７０ｍｍ以上の範囲にわたって、板ガラスの厚さ方向に実質的に変位しないように強固に固定する態様が好ましい。
【０００８】
図１は、本発明に係る板ガラス取付構造の断面図である。この図では、矩形状板ガラスの下辺を本発明に係る方法で強固に固定し、上辺は従来より慣用されている方法、すなわち、バックアップ材と弾性シーリング材を用いて施工している。この図において、深さ方向に強固に固定される範囲は、Ｈで示される。Ｈは７０ｍｍ以上であることが好ましいが、強度設計に余裕をもたせる上では、Ｈを１００ｍｍ以上とするのが更に好ましい。
【０００９】
なお、支持辺方向（幅方向）については、必ずしもその全長にわたって強固に固定される必要はなく、間欠的に固定されている場合でも、板ガラスの厚さ方向に実質的に変位しない状態で固定されていればよい。
【００１０】
また、耐風圧性能を更に向上させるために、下辺側を本発明に係る強固な固定方法とし、上辺側の取付構造を、例えば、カーテンドアなどの上部の取付構造と同様に、リブガラスを用いた支持構造とすることも有効である。すなわち、図７に示すように、天井２４側からフェースガラス２１（平板ガラス）の中間部まで、フェースガラス２１の室内側の面にリブガラス２２を配置してフェースガラス２１を支持し、フェースガラス２１の上辺部側の変位および発生応力を減少させることにより、床２５側の下辺部を本発明に係る強固な固定方法とすることと相俟って、耐風圧性能が更に向上する。なお、この例では、フェースガラス２１の横方向の端縁同士を、シーリング材２３を介して突き付け接続している。
【００１１】
ガラス取付溝内での板ガラスの固定は、ガラス取付溝壁部と板ガラスとの間隙に、圧縮強度が１５Ｎ／ｍｍ２以上の物質を介在させることによる固定であることが好ましいが、このような物質としては、例えば、ポリエチレン樹脂、ポリプロピレン樹脂、ポリウレタン樹脂、石膏などが好適である。このような物質をガラス取付溝壁部と板ガラスとの間隙に介在させることにより、板ガラス端部が、ガラス取付溝内で、板ガラスの厚さ方向に実質的に変位しないように強固に固定できる。係る物質は、ガラス取付溝内で、板ガラスの両側の間隙に介在させるのが好ましい。
【００１２】
また、本発明は、矩形状板ガラスの上下２辺をそれぞれガラス取付溝内に嵌め込んで支持する一方、左右の２辺を自由辺とした２辺支持の板ガラス固定施工方法において、前記板ガラスの支持辺である上辺もしくは下辺のいずれか一辺、または上下両辺の固定方法として、ガラス取付溝壁部と板ガラスとの間隙に、圧縮強度が１５Ｎ／ｍｍ２以上の物質を介在させることにより、ガラス取付溝内で、深さ方向に７０ｍｍ以上の範囲にわたって、板ガラスの厚さ方向に実質的に変位しないように強固に固定することを特徴とする板ガラス固定施工方法を提供する。
【００１３】
このような板ガラス固定施工方法においては、ガラス取付溝壁部と板ガラスとの間隙に、圧縮強度が１５Ｎ／ｍｍ２以上の物質を介在させる方法が、ガラス取付溝壁部と板ガラスの間隙に、スラリー状石膏を内蔵する可撓性袋体を介在させて、該石膏を硬化させる方法であることが好ましい。石膏は水硬性で迅速に硬化するので作業性がよく、更に硬化時の体積膨張により板ガラスを強固に固定できる。スラリー状の石膏を薄いビニール袋のような可撓性の袋体に入れて、板ガラスと取付溝壁部との間隙に介在させることにより石膏が自然硬化し、板ガラスを強固に固定できる。
【００１４】
また、ガラス取付溝内で板ガラスの両側に形成される間隙に、板ガラスの幅方向の少なくとも２箇所以上に、スラリー状石膏を内蔵する可撓性袋体を介在させる態様も好ましい。すなわち、板ガラスの幅方向に沿って全幅に対してスラリー状石膏を内蔵する可撓性袋体を介在させなくとも、所定の間隔をおいて配置することによって、板ガラスを強固に固定することが可能であるからである。
【００１５】
さらに本発明によれば、支持辺方向に湾曲した曲面形状を有する板ガラスを、その凸側面が主に風圧を受ける面となるように取り付けることも有効である。すなわち、曲面ガラスは、シェル効果による強度向上が認められ、変形量が小さくなるからである。
【００１６】
【発明の実施の形態】
以下、図面に基づいて本発明の実施の形態を説明する。
図１は、本発明の実施形態に係る板ガラスの取付構造の基本的構成を示す断面図である。なお、板ガラス上辺は通常のサッシによる取付構造とした。すなわち、板ガラス１の上辺をサッシ１２の溝に嵌め込み、サッシ溝内で板ガラスの両側に形成される間隙にバックアップ材４と弾性シーリング材３を充填して施工している。
【００１７】
一方、板ガラス１の下辺は、充填材２を用いて、ガラス取付溝内に固定している。本例では、充填材２として、石膏系の充填材を用いている。板ガラス１は、ガラス取付溝内の左右のブレード５、５の間に形成された間隙に挿入される。その間隙の底部には、例えばクロロプレンゴムなどの硬質ゴムのセッティングブロック６が配置されており、その上に板ガラス１を載置する。板ガラス１は、間隙のほぼ中央に位置するように、取付溝壁部と概ね平行に調整されるが、必要に応じて仮止め等を行う。この状態で、板ガラス１の両側に生ずる間隙に、充填材２を充填する。この際、例えば、薄いビニール袋のような可撓性袋体を、板ガラス１の両側に生ずる間隙に挿入し、この中にスラリー状の石膏を注入して硬化させることにより、板ガラス１の下辺が、板ガラス１の厚さ方向に実質的に変位しないように強固に固定できる。
【００１８】
なお、７は充填モルタル、８はリブ補強ブレート、９は壁面仕上げ材、１０はアンカー、１１は躯体である。
【００１９】
充填材２としては、圧縮強度が１５Ｎ／ｍｍ２以上の物質が好ましい。このような物質としては、例えば、ポリエチレン樹脂、ポリプロピレン樹脂、ポリウレタン樹脂、石膏などが好適である。このような物質をガラス取付溝壁部と板ガラスとの間隙に介在させることにより、板ガラス端部が、ガラス取付溝内で、板ガラスの厚さ方向に実質的に変位しないように強固に固定できる。充填材２は、ガラス取付溝内で、板ガラスの両側の間隙に介在することが好ましい。また、板ガラスの両側の間隙には、異なる物質を介在させてもよい。
【００２０】
硬度が約６０度のシリコーンゴムは、圧縮しても、通常は、荷重と変位の関係は線形の範囲にあり、その範囲では圧縮限界応力はおよそ１．４Ｎ／ｍｍ２程度である。また、この条件下での変形率は約２３．４％である。例えば、幅３ｍ、高さ４．５ｍの板ガラスに、風圧約５５９Ｐａが作用する場合を考えると、上下辺で支持した場合に下辺の固定部に加わる全荷重は、
３×４．５×５５９÷２≒３７７３Ｎ
である。板ガラスの下辺がガラス取付溝に嵌め込まれ、深さ１００ｍｍ、幅３ｍの全幅にわたって、ガラス取付溝壁部と板ガラスとの間隙に上記のシリコーンゴムを介在させた場合、その設置面積から応力を計算すると、
３７７３÷（３０００×１００）≒０．０１２６Ｎ／ｍｍ２
である。よって、シリコーンゴムの変形率は、
２３．４×０．０１２６／１．４≒０．２１％
であるから、実質的にはほとんど変形していないとみなすことができる。仮に、厚さ１０ｍｍのシリコーンゴムを用いたとすると、その変形量は、
１０×０．２１／１００＝０．０２１ｍｍ
となり、ガラス取付溝内で板ガラスの下辺は、厚さ方向に実質的に変位しないとみなすことができる。
【００２１】
したがって、シリコーンゴム、クロロプレンゴム、ＥＰＤＭ（エチレン・プロピレンゴム）などのゴム弾性体であっても、およそ６０度以上の硬度を有するものを、想定される荷重下で変形量が適切な範囲内に納まるように設置面積を考慮して、ガラス取付溝内の間隙に配置することで、板ガラスを強固に固定できる。例えば、板ガラスの両側の間隙のうち、その片側に、硬度が約６０度のシリコーンゴムを介在させる。さらに、シリコーンゴムが実質的に変位しない状態まで圧縮させるべく、ガラス取付溝内の間隙内で板ガラスを押し付け、治具などで仮止めする。この状態で、もう一方の間隙に、スラリー状石膏を内蔵する可撓性袋体を介在させて、該石膏を硬化させることで、板ガラスをガラス取付溝内に強固に固定することができる。仮止めの際に用いた治具は、石膏が硬化した後に取り外せばよい。
【００２２】
同様に、係るゴム弾性体からなる、例えば、厚さ１０ｍｍ前後の板状体を板ガラスの両側の間隙に設置し、両側の間隙のうちどちらか一方の間隙内で、取付溝壁部とゴム弾性体の間に、例えば、ボルト孔を有する金属板をボルトが取り付けられた状態で配置し、係るボルトを締緩することによる締め付けトルクで、金属板をゴム弾性体に強く押し付け、ゴム弾性体が実質的に変位しない状態とすれば、板ガラスをガラス取付溝内に強固に固定できる。
【００２３】
また、充填材２によって、深さ方向に強固に固定される範囲は、図１のＨで示される。Ｈは７０ｍｍ以上であることが好ましいが、強度設計に余裕をもたせる上では、Ｈを１００ｍｍ以上とするのが更に好ましい。なお、支持辺方向（幅方向）については、必ずしもその全長にわたって強固に固定される必要はなく、間欠的に固定されている場合でも、板ガラスの厚さ方向に実質的に変位しない状態で固定されていればよい。
【００２４】
なお、本発明に用いる板ガラスの種類としては、フロートガラス、強化ガラス、倍強度ガラス、網入り線入りガラスなどが挙げられる。また、本発明に用いる板ガラスの形態は、単板状の板ガラスに限定されず、合わせガラス、複層ガラスなどが挙げられる。本発明において固定支持とする辺は、板ガラスの上辺、下辺のいずれでもよく、両辺でもよい。
【００２５】
建物の最下部、すなわち、通常１階部分は、広い開放感を要求される部分であり、本発明を適用する部分として好ましい。
【００２６】
図２は、従来技術に係る板ガラスの取付構造の基本的構成を示す断面図である。板ガラス上辺、下辺ともに通常のサッシによる取付構造であり、板ガラス１の上辺および下辺をサッシ１２の溝に嵌め込み、サッシ溝内で板ガラス１の両側に形成される間隙にバックアップ材４と弾性シーリング材３を充填して施工している。なお、下辺側のサッシ１２の溝底部には、硬質ゴムのセッティングブロック６が配置されており、その上に板ガラス１が載置される。
【００２７】
図３、図４は、単板状の平板ガラスに風圧が加わった際の変形および応力の発生状態を示す図であり、それぞれ、図１、図２の板ガラス取付構造に対応している。これらは、有限要素法による解析結果である。解析条件は何れも、平板ガラス（フロートガラス）の幅寸法を３ｍ、高さ寸法を４．５ｍ、ガラス厚を１２ｍｍ、風圧を約５５９Ｐａとした。なお、応力の発生状態は、表示色が濃いほど応力値が大きく、淡いほど小さくなっている。
【００２８】
図４は、従来技術に係る図２の取付構造とした場合の解析結果である。すなわち、矩形の平板ガラス１の上下両辺を、通常のサッシ１２の溝にバックアップ材４と弾性シーリング材３を充填して取り付けた場合の、平板ガラスの変形および応力の発生状態を示す。変位および応力は上下両辺に平行な帯状に分布し、自由辺である縦辺中央部で最大となる。最大応力は、縦辺部（支持辺方向の両端部、以下単にエッジ部という。）に現れている。
【００２９】
一般的に知られているように２辺支持構造の場合は、自由辺上の高さ方向中央部に最大変位および最大応力が発生する。すなわち、エッジ部に最大応力が発生することとなる。したがって、ガラスのように面内と比べてエッジ部の許容応力値の方が小さい材料の場合は、エッジ部の許容応力値に合わせて自由辺の大きさを設計する必要があり、結果として使用可能な板ガラスの面積が制限されることとなる。
【００３０】
図３は、本発明に係る図１の取付構造とした場合の解析結果である。すなわち、矩形の平板ガラス１の上辺を、通常のサッシ１２の溝にバックアップ材４と弾性シーリング材３を充填して取り付け、下辺を石膏系の充填材２を用いて、ガラス取付溝内に強固に固定する場合の、板ガラスの変形および応力の発生状態を示す（下辺側固定部のガラス厚さ方向の変位を０として解析した）。本例では、最大応力はガラス取付溝に強固に固定された板ガラス下辺のガラス取付溝開口部近傍のガラス面内に現れている。
【００３１】
次に、図３と図４を比較する。従来技術に係る方法で取り付けた図４では、最大応力は板ガラスのエッジ部に発生しており、その値は約１４Ｎ／ｍｍ２、最大変位は３．２８ｃｍである。一方、本発明に係る方法で取り付けた図４では、最大応力は板ガラスの面内に発生しており、その値は約１３．９Ｎ／ｍｍ２、最大変位は１．３８ｃｍである。最大応力値そのものは、ほぼ同じであっても、その発生部位が強度設計上きわめて重要な意味を持つ。何故なら、フロートガラスの短期許容応力は、エッジ部においては約１７．７Ｎ／ｍｍ２であるのに対して、面内においては、呼び厚さ１２〜１９ｍｍ厚の板ガラスでは約１９．６Ｎ／ｍｍ２、呼び厚さ２〜１０ｍｍ厚の板ガラスでは約２４．５Ｎ／ｍｍ２であり、エッジ部より面内の方が許容応力値が大きいからである。したがって、最大応力値そのものはほぼ同じであっても、板ガラス面内に最大応力が発生する図４の例の方が、エッジ部に最大応力が発生する図３の例よりも、許容応力に余裕があるので、自由辺である縦辺の長さを大きくして板ガラスの面積をより大きく設計できる。さらに、強化ガラス、倍強度ガラス等を用いることで、エッジ部と面内の許容応力の差が更に顕著となるので、本発明により最大応力をエッジ部でなく面内に発生させ、より大面積の板ガラスが適用可能になる。
【００３２】
図５および図６は、支持辺方向（幅方向）に湾曲した矩形状の曲面ガラスについて、曲面ガラスの凸側から風圧が加わった際の変形および応力の発生状態を示す。ここでは、曲率半径が約５５ｍと非常に浅い円弧を持つ曲面ガラスを対象としている。なお、これらは、有限要素法による解析結果である。解析条件は何れも、板ガラス（フロートガラス）の幅寸法を３ｍ、高さ寸法を４．５ｍ、ガラス厚を１２ｍｍ、風圧を約５５９Ｐａとした。なお、応力の発生状態は、表示色が濃いほど応力値が大きく、淡いほど小さくなっている。
【００３３】
図６は、従来技術に係る図２の取付構造とした場合の解析結果である。すなわち、矩形の曲面ガラスの上下両辺を、通常のサッシ１２の溝にバックアップ材４と弾性シーリング材３を充填して取り付けた場合の、曲面ガラスの変形および応力の発生状態を示す。同様に図５は、本発明に係る図１の取付構造とした場合の解析結果である。すなわち、曲面ガラスの上辺を、通常のサッシ１２の溝にバックアップ材４と弾性シーリング材３を充填して取り付け、下辺を石膏系の充填材２を用いて、ガラス取付溝内に強固に固定する場合の、曲面ガラスの変形および応力の発生状態を示す（下辺側固定部のガラス厚さ方向の変位を０として解析した）。なお、どちらの場合も、主に風圧を受ける側の面を凸面としている。
【００３４】
図５と図６を比較する。従来技術に係る図６では、最大応力は自由辺である縦辺中央部のエッジ部に発生しており、その値は約１７．３Ｎ／ｍｍ２、最大変位は２．３ｃｍである。一方、本発明に係る図５では、最大応力はガラス取付溝に強固に固定された板ガラス下辺の支持辺方向（幅方向）中央部付近のガラス取付溝開口部近傍のガラス面内に現れており、その値は約１２．３Ｎ／ｍｍ２、最大変位は１ｃｍとなり、従来技術に係る図６の場合と比較して、応力および変位ともに大幅に減少する。したがって、曲率半径の大きな浅い曲面を有するガラスに対しても、本発明は有効である。
【００３５】
【発明の効果】
以上説明したように、本発明によれば、受風圧時の板ガラス中央部の板ガラス厚さ方向の変位量を低減できる。
【００３６】
また、本発明によれば、ガラス取付溝に強固に固定された板ガラス端部のガラス取付溝開口部近傍に、板ガラスの最大応力が生ずることとなるため、縦辺である自由辺の中央部に最大応力が発生する従来技術と比較して、強度上非常に有利である。
【００３７】
したがって、同じ大きさの板ガラスでは、より高い風圧に耐えることができ、同じ風圧条件においては、より自由辺の大きな大面積のガラスが使用でき、設計の自由度が増す。
【図面の簡単な説明】
【図１】本発明に係る板ガラスの取付構造の基本的構成を示す断面図。
【図２】従来技術に係る板ガラスの取付構造の基本的構成を示す断面図。
【図３】本発明に係る板ガラスの取付構造で、平板板ガラスが風圧を受けた際の変形および応力発生状態を示す図。
【図４】従来技術に係る板ガラスの取付構造で、平板板ガラスが風圧を受けた際の変形および応力発生状態を示す図。
【図５】本発明に係る板ガラスの取付構造で、曲面ガラスが風圧を受けた際の変形および応力発生状態を示す図。
【図６】従来技術に係る板ガラスの取付構造で、曲面ガラスが風圧を受けた際の変形および応力発生状態を示す図。
【図７】本発明に係る板ガラスの取付構造で下辺側を強固に固定し、上辺側を、天井側から平板ガラスの中間部まで室内側の面にリブガラスを配置して支持する取付構造とした斜視模式図。
【符号の説明】
１：板ガラス
２：充填材
３：シーリング材
４：バックアップ材
５：ブレード
６：セッティングブロック
７：充填モルタル
８：リブ補強ブレート
９：壁面仕上げ材
１０：アンカー
１１：躯体
１２：サッシ
１３：カバー材
２１：フェースガラス（平板ガラス）
２２：リブガラス
２３：シーリング
２４：天井
２５：床
【図１】
2004019401.tif 000003
【図２】
2004019401.tif 000004
【図３】
2004019401.tif 000005
【図４】
2004019401.tif 000006
【図５】
2004019401.tif 000007
【図６】
2004019401.tif 000008
【図７】
2004019401.tif 000009